(57)【特許請求の範囲】
【請求項１】
網体を巻き入れ巻き出し可能に収納した収納枠と、上記網体の先端に設けられ網体の開閉操作を行う可動框と、該可動框の両端部を網体の開閉方向に摺動自在に支持し一端が上記収納枠の両端部に接続されたガイド枠と、該ガイド枠の他端に両端部が接続された戸当り枠とを備えたロール網戸であって、上記ロール網戸が取付けられる窓枠又は窓額縁の上枠、下枠及び左右の縦枠の室内側内面に合成樹脂形材製のアングル部材を設け、一方の縦枠の内面に断面Ｌ字状で先端に返し部を有する引っ掛け部材の基部を上記アングル部材を介して取付け、前記返し部に引っ掛けられる被引っ掛け部を上記ロール網戸の一側部に設け、一側のアングル部材とロール網戸の一側部との間に前記返し部に前記引っ掛け部を引っ掛けるための所定の隙間を設け、上記ロール網戸の他側部に設けられた取付片を他方の縦枠の内面に上記アングル部材を介して取付けたことを特徴とするロール網戸。
【請求項２】
網体を巻き入れ巻き出し可能に収納した収納枠と、上記網体の先端に設けられ網体の開閉操作を行う可動框と、該可動框の両端部を網体の開閉方向に摺動自在に支持し一端が上記収納枠の両端部に接続されたガイド枠と、該ガイド枠の他端に両端部が接続され上記収納枠と対称に配置される収納枠とを備えた両開きタイプのロール網戸であって、上記ロール網戸が取付けられる窓枠又は窓額縁の上枠、下枠及び左右の縦枠の室内側内面に合成樹脂形材製のアングル部材を設け、左右の縦枠の内面に断面Ｌ字状で先端に返し部を有する引っ掛け部材の基部を上記アングル部材を介してそれぞれ取付け、前記返し部に引っ掛けられる被引っ掛け部を上記ロール網戸の両側部に設け、両側のアングル部材とロール網戸の両側部との間に前記返し部に前記引っ掛け部を引っ掛けるための所定の隙間を設けたことを特徴とするロール網戸。
【発明の詳細な説明】
【技術分野】
【０００１】
本発明は、開口部装置であるロール網戸に係り、特に窓枠又は窓額縁にロール網戸を取付ける取付構造に関するものである。
【背景技術】
【０００２】
従来、この種のロール網戸は、網体を巻き入れ巻き出し可能に収納した収納枠と、上記網体の先端に設けられ網体の開閉操作を行う可動框と、該可動框の両端部を網体の開閉方向に摺動自在に支持し一端が上記収納枠の両端部に接続されたガイド枠と、該ガイド枠の他端に両端部が接続された戸当り枠とを備えた構成になっている（例えば特許文献１参照）。
【０００３】
このロール網戸を窓枠例えばサッシ枠に取付けるために、サッシ枠の四隅近傍に取付けブラケットをネジ止めにより取付け、これらの取付けブラケットに対応してロール網戸に設けられたネジ孔に室内側からネジを挿入して各取付けブラケットに捩じ込んで締め付けることにより、サッシ枠にロール網戸を取付けていた。また、上記ロール網戸のネジ孔にネジ孔キャップを嵌め込み、更に戸当り枠を補強すべく戸当り枠に戸当りブラケットを嵌め込み、該戸当りブラケットをテクスネジにてサッシ枠に取付けていた。
【０００４】
【特許文献１】特許第３６１７６４６号公報
【発明の開示】
【発明が解決しようとする課題】
【０００５】
しかしながら、上述のように構成されたロール網戸においては、取付けブラケットのネジ孔が拾いにくい、ネジ孔キャップが嵌めにくい、ロール網戸の開口寸法が小さい場合に電動ドライバーが入らないため手回しドライバーを使用しなければならず、また、テクスネジのため切り粉が出やすいなどの問題があり、総じてロール網戸の取付けに多くの時間がかかるという問題があった。なお、ロール網戸の取付け方法としては、両面粘着テープを用いる方法もあるが、両面粘着テープの場合、取付面をフラットにし且つきれいにしないと粘着力が発揮されず、確実性に劣る場合がある。
【０００６】
本発明は、上記事情を考慮してなされたものであり、窓枠又は窓額縁にロール網戸を確実且つ容易に取付けることができ、取付け時間を短縮できるロール網戸を提供することを目的とする。
【課題を解決するための手段】
【０００７】
本発明のうちの第１の発明は、網体を巻き入れ巻き出し可能に収納した収納枠と、上記網体の先端に設けられ網体の開閉操作を行う可動框と、該可動框の両端部を網体の開閉方向に摺動自在に支持し一端が上記収納枠の両端部に接続されたガイド枠と、該ガイド枠の他端に両端部が接続された戸当り枠とを備えたロール網戸であって、上記ロール網戸が取付けられる窓枠又は窓額縁の上枠、下枠及び左右の縦枠の室内側内面に合成樹脂形材製のアングル部材を設け、一方の縦枠の内面に断面Ｌ字状で先端に返し部を有する引っ掛け部材の基部を上記アングル部材を介して取付け、前記返し部に引っ掛けられる被引っ掛け部を上記ロール網戸の一側部に設け、一側のアングル部材とロール網戸の一側部との間に前記返し部に前記引っ掛け部を引っ掛けるための所定の隙間を設け、上記ロール網戸の他側部に設けられた取付片を他方の縦枠の内面に上記アングル部材を介して取付けたことを特徴とする。
第２の発明は、網体を巻き入れ巻き出し可能に収納した収納枠と、上記網体の先端に設けられ網体の開閉操作を行う可動框と、該可動框の両端部を網体の開閉方向に摺動自在に支持し一端が上記収納枠の両端部に接続されたガイド枠と、該ガイド枠の他端に両端部が接続され上記収納枠と対称に配置される収納枠とを備えた両開きタイプのロール網戸であって、上記ロール網戸が取付けられる窓枠又は窓額縁の上枠、下枠及び左右の縦枠の室内側内面に合成樹脂形材製のアングル部材を設け、左右の縦枠の内面に断面Ｌ字状で先端に返し部を有する引っ掛け部材の基部を上記アングル部材を介してそれぞれ取付け、前記返し部に引っ掛けられる被引っ掛け部を上記ロール網戸の両側部に設け、両側のアングル部材とロール網戸の両側部との間に前記返し部に前記引っ掛け部を引っ掛けるための所定の隙間を設けたことを特徴とする。
【発明の効果】
【０００８】
本発明によれば、窓枠又は窓額縁にロール網戸を確実且つ容易に取付けることができ、ロール網戸の取付け時間を短縮できる。
【発明を実施するための最良の形態】
【０００９】
以下に、本発明を実施するための最良の形態について、添付図面を基に詳述する。図１は本発明の実施の形態であるロール網戸の概略的構成を示す室内側正面図、図２は縦すべり出し窓サッシに取付けたロール網戸の縦断面図、図３は同ロール網戸の横断面図である。
【００１０】
これらの図において、１はロール網戸で、本実施の形態では横引きの片引きタイプのロール網戸が示されている。このロール網戸１は、建物等の開口の一側部に設けられ網体２を巻取軸３に巻取って巻き入れ巻き出し可能に収納する収納枠４ａと、該収納枠４ａから引き出した網体２の先端に設けられ網体２の開閉操作を行うための可動框５と、該可動框５の両端部（上下両端部）を開閉方向（左右方向）に摺動自在に支持し一端が上記収納枠４ａの両端部（上下両端部）に接続されたガイド枠４ｂ，４ｃと、該ガイド枠４ｂ，４ｃの他端に両端部（上下両端部）が接続され可動框５を閉鎖位置に当接させる戸当り枠４ｄとを備えている。
【００１１】
収納枠４ａ、ガイド枠４ｂ，４ｃ、戸当り枠４ｄ及び可動框５は、アルミ形材（アルミニウム合金の押出形材）からなっている。なお、図示例のロール網戸１は特殊窓の一つである縦すべり出し窓サッシ６の窓枠７の室内側に取付けられている。
【００１２】
この縦すべり出し窓サッシ６は、上枠７ａ、下枠７ｂ及び左右の縦枠７ｃ，７ｄからなる窓枠７と、該窓枠７内に開閉可能に設けられ室外に向ってすべり出しながら縦軸回りに回動して開放される障子８とを備えている。ロール網戸１の収納枠４ａが一方例えば左側の縦枠７ｃに取付けられ、戸当り枠４ｄが他方例えば右側の縦枠７ｄに取付けられている。
【００１３】
ロール網戸を窓枠に取付けるために、図３、図１１ないし図１２に示すように、窓枠７の一側部例えば左側縦枠７ｃには引っ掛け部である引っ掛け部材９が設けられると共に、該引っ掛け部材９に引っ掛けられる被引っ掛け部５０がロール網戸１の一側部例えば収納枠４ａに設けられる。上記引っ掛け部材９に被引っ掛け部５０を引っ掛けることにより窓枠７にロール網戸１が取付けられる。また、ロール網戸１の他側部例えば戸当り枠４ｄを窓枠７の他側部例えば右側縦枠７ｄに固定するために、戸当り枠４ｄには取付片１１が設けられ、該取付片１１が縦枠７ｄの内面にネジ１２で取付けられる。この取付片１１は戸当り枠４ｄの背面の外側角部にその長手方向に沿って一体形成されていることが好ましい。
【００１４】
図示例では、窓枠７を構成する上枠７ａ、下枠７ｂ及び左右の縦枠７ｃ，７ｄの室内側内面に合成樹脂形材製のアングル部材１３ａ，１３ｂ，１３ｃ，１３ｄが嵌合により設けられており、特に左右のアングル部材１３ｃ，１３ｄは縦枠７ｃ，７ｄの内面に形成した嵌合溝部７０ａ、７０ｂに基部側が嵌合されて取付けられている。また、アングル部材１３ｃ，１３ｄの熱膨張収縮移動を抑制ないし防止するために、アングル部材１３ｃ，１３ｄは縦枠７ｃ，７ｄに対して内側からネジ１０，１２で適宜固定されている。部品点数の削減を図るために、これらのネジ１０，１２を利用して上記引っ掛け部材９及び取付片１１が左右の縦枠７ｃ、７ｄに取付けられる。
【００１５】
上記引っ掛け部材９は、縦枠７ｃの内面にアングル部材１３ｃを介してネジ止めされる固定部９ａと、該固定部９ａから右方に直角に折り曲げられて延出された延出部９ｂとを有するように断面Ｌ字状に形成されており、延出部９ｂの先端には右方に折り返された返し部９ｃが形成されている。この引っ掛け部材９は縦枠７ｃの長手方向に沿うように長尺に形成されている。
【００１６】
上記被引っ掛け部５０は、断面Ｕ字状の返し部９ｃに左方から引っ掛けられるように断面Ｌ字状に形成されている。被引っ掛け部５０は収納枠４ａの背面の外側角部に一体に形成されている。被引っ掛け部５０は収納枠４ａの長手方向に沿って長尺に形成されている。なお、引っ掛け部材９の返し部９ｃに被引っ掛け部５０を引っ掛けるために、アングル部材１３ｃと収納枠４ａとの間には所定の隙間ｔが設けられている。また、引っ掛け作業を確実且つ容易に行うために、返し部９ｃには入口側が拡開したテーパー部９ｄが設けられていることが好ましい。
【００１７】
上記網体２は例えば樹脂製の縦糸と横糸を網状に織った網材からなる。網体２は左右方向（横方向）に長尺の帯状に形成されており、巻取軸３に巻取られている。この網体２の少なくとも上下両縁部及び先端縁部には補強と摺動支持可能のために縁部材１４ａ，１４ｂ，１４ｃ設けられている。縁部材としては、屈曲性も良い例えばバンクテープが好適である。縁部材は網体の厚さよりも数倍の厚さを有している。なお、網戸枠の形状によっては（例えば横方向よりも縦方向に長尺の網戸枠の場合）、網体が横方向よりも縦方向（上下方向）に長尺に形成されている場合もある。
【００１８】
上記収納枠４ａは、室内側と可動框側が開放された断面略Ｌ字状に形成されており、その開放部を一部（網体の出し入れ口１５）を残して覆うべく断面略Ｌ字状のカバー部材１６が収納枠４ａの室内側縁部を回動中心として開閉可能に配置されている。カバー部材１６はアルミ又は樹脂の形材からなっている。
【００１９】
図４にも示すように、収納枠４ａの上下両端には端部ピース１７ａ，１７ｂがそれぞれ１個の引っ掛け部１８と１本のネジ１９により着脱可能に取付けられている。上部の端部ピース１７ａには巻取軸３の上端を回転自在に支持する図示しない支持部が形成されている。巻取軸３の内部には巻取り付勢用のバネが設けられると共に該バネのバネ力を調節するための巻き軸が設けられ（図示省略）、下部の端部ピース１７ｂには該巻き軸を係合させるための係合部２０を有する歯車式バネ調節部２１が設けられている（図５参照）。この歯車式バネ調節部２１は、上記カバー部材１６を開き、歯車２２のストッパー２３を左右に１往復することで歯車が１山戻ってバネ力が弱まり、歯車２２の軸に形成されたマイナス溝２４にマイナスドライバーの先端を差し込んで時計方向に回すことによってバネ力が強まるという具合にバネ力を任意に調節できるようになっている。
【００２０】
収納枠４ａには端部ピース１７ａ，１７ｂを固定するためのネジ１９をねじ込むための一本ないし１ヶ所のタッピングホール２５と、上記引っ掛け部１８の爪１８ａを内側から引っ掛けるための孔部（例えば角孔）２６が形成されている。端部ピース１７ａ，１７ｂには、ネジ１９を挿入するための孔部２７と、引っ掛け部１８とが略対角に設けられている。また、端部ピース１７ａ，１７ｂの室内側角部には上記カバー部材１６の一側部（基部）に形成された断面略Ｃ字状の軸受部２８の両端を嵌合させて回動可能に支持するための支軸部２９が上下で相対向するように突出形成されている。
【００２１】
端部ピース１７ａ，１７ｂには、ガイド枠４ｂ，４ｃの一端を接合する手段として、ガイド枠４ｂ，４ｃの内部空間（中空部）４ｆに挿入嵌合される嵌合片部１７ｃと、ガイド枠１７ｂ，１７ｃの外面に当接されてネジ３０で固定される接合片部１７ｄとが突出形成されている。端部ピース１７ａ，１７ｂの接合片部１７ｄにはネジ３０の取付孔１７ｅが形成されている。なお、図９に示すように戸当り枠４ｄの上下両端にも端部ピース３１ａ，３１ｂが嵌合装着され、該端部ピース３１ａ，３１ｂにはガイド枠４ｂ，４ｃの内部空間（中空部）４ｆに挿入嵌合される図示しない嵌合片部と、ガイド枠４ｂ，４ｃの外面に当接されてネジ３２で固定される接合片部３１ｄとが突出形成されている。なお、戸当り枠４ｄは断面略Ｃ字状に形成されており、その室内面の内角部には閉鎖時の可動框５との間の隙間を室内側から覆うための覆い片部４ｇがリブ状に形成されている。
【００２２】
上記可動框５は、図８にも示すように、剛性を高めるべく中空（ホロー）構造とされており、その上下両端には端部ピース３３ａ，３３ｂが嵌合により装着されている。各端部ピース３３ａ，３３ｂは１部品からなり、端部ピース３３ａ，３３ｂには可動框５の両端の中空部５ｆに挿入嵌合（圧入）される嵌挿部３３ｃが突出形成されている。可動框５及び端部ピース３３ａ，３３ｂには、網体２の先端の縁部材１４ｃをくわえ込んでその長手方向に沿って摺動自在に保持するための断面略Ｃ字状の保持溝５ｄ，３３ｄが形成されている。なお、端部ピース３３ａ，３３ｂは、網体２を挟み込んで固定する構造ではないため、網体２が可動框５の長手方向に移動可能であるが、網体２の上縁部１４ａと下縁部１４ｂが上下のガイド枠４ｂ、４ｃの支持溝３４,３４に支持されているので網体２が離脱する問題はない。
【００２３】
可動框５の室内面にはその長手方向に沿って把手５ｇがリブ状に形成されている。端部ピース３３ａ，３３ｂには把手５ｇの端部に当接されてこれを覆う保護カバー部３３ｇが突出形成されている。上下のガイド枠４ｂ，４ｃの対向部には対向部側が開放された断面略Ｃ字状のガイド溝３５，３５が長手方向に沿って形成されており、端部ピース３３ａ，３３ｂには該ガイド溝３５，３５に摺動自在に嵌合（係合）する被ガイド部である摺動部（スライダー）３３ｓ，３３ｓが形成されている。なお、上記端部ピース１７ａ,１７ｂ,３１ａ,３１ｂ,３３ａ，３３ｂは、合成樹脂により形成されていることが好ましい。
【００２４】
上記ガイド枠４ｂ，４ｃには、図６ないし図１０に示すように網体２の上下の縁部材１４ａ，１４ｂを摺動自在に支持する支持溝３４，３４が一体形成されている。また、ガイド枠４ｂ，４ｃは、中空部４ｆを有するホロー構造とされていることが好ましい。上下のガイド枠４ｂ，４ｃは、同一断面形状の形材からなる。例えば下部のガイド枠４ｃは、図６に示すように左右に配した室外面板４ｘと室内面板４ｙの間に内側面板４ｍと外側面板４ｎを上下に配してなる。内側面板４ｍよりも上方に立ち上がった室外面板４ｘと室内面板４ｙの上縁部は相対向して接近すべく断面Ｌ字状に形成されており、これにより内側面板４ｍよりも上方にガイド溝３５が形成されている。
【００２５】
内側面板４ｍの中央には断面略Ｕ字状で開口（スリット）３４ａが１．５ｍｍ程度と狭い支持溝３４が押出成形によりガイド枠４ｃと一体に形成されている。この開口３４ａの幅を従来（インナーレールの場合、１ｍｍ程度）よりも若干広くすることにより、支持溝３４を含む一体型のガイド枠４ｃのアルミ押出成形を可能としている。支持溝３４の開口３４ａは内側面板４ｍよりも上方であってガイド枠４ｃの上面よりも下方、すなわち内側面板４ｍとガイド枠４ｃの上面との略中間高さ位置に形成されていることが好ましい。可動框５の端部ピース３３ａ，３３ｂの摺動部３３ｓには、支持溝３４との干渉を避けるための凹部３３ｅが形成されている。これによりガイド枠の上面からの網体の飲み込み長さを短くしている。
【００２６】
巻取軸３から引き出される網体２が上記支持溝３４の長手方向一端の開口（スリット）３４ａから進入する際に引っ掛かるのを抑制ないし防止するために、図５に示すように上記収納枠４ａの端部ピース１７ａ，１７ｂには、網体導入ガイド部３６が一体に設けられている。この網体導入ガイド部３６は、ガイド枠４ｃの端面と同じ外形に形成され、ガイド枠４ｃの端面が当接されるようになっている。網体導入ガイド部３６にも支持溝３４と対応する導入溝部３７が形成され、その開口（スリット）３７ａの幅は支持溝３４の開口（スリット）３４ａの幅よりも狭く例えば１ｍｍ程度に設定されている。また、開口３７ａの入口側には網体２が入りやすいようにアール加工３８又は面取り加工が施されていることが好ましい。
【００２７】
可動框５を戸当り枠４ｄに当接させた閉鎖位置に保持する手段として、図３ないし図９に示すように、上記可動框５及び戸当り枠４ｄのいずれか一方例えば戸当り枠４ｄには磁石４０が設けられ、他方例えば可動框５には該磁石４０に吸着される磁石受け４１が設けられている。磁石４０はフランジ４２ａを有する磁石ケース４２内に嵌め込まれ、該磁石ケース４２が戸当り枠４ｄの内面に形成した取付穴４３に内側から嵌め込まれている。磁石ケース４２には引き抜けを防止するために取付穴４３の裏面に掛止される図示しない掛止爪が設けられている。
【００２８】
そして、磁石４０の吸着力ないし磁石４０による可動框５の吸着保持力を調整するために、磁石４０及び磁石受け４１の何れか一方を吸着面積を可変すべく移動調節可能に設けている。すなわち、磁性金属板からなる長方形板状の磁石受け４１には、図７にも示すように、これをネジ４４で取付けるための取付孔４５が形成されているが、該取付孔４５が上下方向に長い長穴に形成されている。長穴状の取付孔４５にネジ４４を通し、該ネジ４４を可動框５にねじ込むことにより磁石受け４１が可動框５の外側面に取付固定されており、ネジ４４を緩めて磁石受け４１を上下に移動調節することにより磁石４０と磁石受け４１間の吸着面積を増減し、吸着力（吸着保持力）を調節し得るようになっている。なお、可動框５の外側面には磁石受け４１を上下方向に移動可能に収容する浅い凹溝４６が形成されていることが好ましい。
【００２９】
次に、以上の構成からなるロール網戸１の取付け方法について説明する。先ず、窓枠７の一側部である左側縦枠７ｃの内面に引っ掛け部材９をネジ１０で取付ける。次に、ロール網戸１を持って窓枠７内に真っ直ぐ挿入し、左方から右方に移動させることにより上記引っ掛け部材９の返し部９ｃにロール網戸１の一側部である収納枠４ａの背面部に形成した被引っ掛け部５０を引っ掛ける。次に、ロール網戸１の他側部を固定するために、ロール網戸１の他側部である戸当り枠４ｄの背面部に形成した取付片１１を右側縦枠４ｄの内面にネジ１２で取付固定すれば良い。これにより窓枠７にロール網戸１を確実且つ容易に取り付けることができ、施工性の向上及びロール網戸１の取付け時間の短縮が図れる。
る。
【００３０】
このようにロール網戸１によれば、網体２を巻き入れ巻き出し可能に収納した収納枠４ａと、上記網体２の先端に設けられ網体２の開閉操作を行う可動框５と、該可動框５の両端部を網体２の開閉方向に摺動自在に支持しそれぞれの一端が上記収納枠４ａの両端部に接続されたガイド枠４ｂ，４ｃと、該ガイド枠４ｂ，４ｃの他端に両端部が接続された戸当り枠４ｄとを備えたロール網戸であって、窓枠７の一側部に引っ掛け部である引っ掛け部材９を設けると共に、該引っ掛け部材９に引っ掛けられる被引っ掛け部５０を上記ロール網戸１の一側部に設け、上記引っ掛け部材９に被引っ掛け部５０を引っ掛けて窓枠７にロール網戸１を取付けているため、窓枠７にロール網戸１を確実且つ容易に取付けることができ、ロール網戸１の取付け時間を短縮できる。
【００３１】
なお、縦枠７ｃに設けられる引っ掛け部（引っ掛け部材）９は縦枠７ｃとは別体で形成されていることが好ましいが、縦枠７ｃに一体に形成されていても良い。また、ロール網戸１の他側部例えば戸当り枠４ｄを窓枠７の他側部例えば右側縦枠７ｄに固定する手段としては、戸当り枠４ｄに取付片１１を形成し、該取付片１１を右側縦枠７ｄの内面にネジ止めすることが好ましいが、これに限定されるものではなく、例えば戸当り枠４ｄを一側部と同様に引っ掛けにより固定しても良く、或いは、両面粘着テープを使用して固定しても良い。
【００３２】
図１３は両引きタイプのロール網戸の取付構造を説明するための横断面図である。図１３の実施の形態において、図３の実施の形態と同じ部分は同じ参照符号を付して説明を省略する。図１３実施の形態における窓サッシ６は両縦すべり出し窓であり、窓枠７内に左右一対の縦すべり出し障子８ａ，８ｂを観音開き状に開閉可能に取付けている。このため、窓枠７は開口幅寸法が大きいことから、２つの収納枠４ａ，４ａを左右両側に互いに向かい合わせて配置した両引きタイプのロール網戸１Ａが取付けられている。
【００３３】
このロール網戸１Ａは、網体２を巻き入れ巻き出し可能に収納した収納枠４ａと、上記網体２の先端に設けられ網体２の開閉操作を行う可動框５と、該可動框５の両端部を網体２の開閉方向に摺動自在に支持し一端が上記収納枠４ａの両端部に接続されたガイド枠４ｂ，４ｃと、該ガイド枠４ｂ，４ｃの他端に両端部が接続された、上記収納枠４ａと対称に配置される他方の収納枠４ａとを備えている。すなわち、２つの収納枠４ａ，４ａは相対向して両側に配置され、両収納枠４ａ，４ａの対応する端部間にガイド枠４ｂ，４ｃが掛け渡され、その上下のガイド枠４ｂ，４ｃに２つの可動框５，５が相対向して摺動自在に支持された構造になっている。２つの可動框５，５の対向面には、両可動框５，５を当接させた網戸閉状態に保持するために、一方の面に磁石４０が設けられ、他方の面には該磁石４０に吸着される磁石受け４１が設けられている。磁石４０の吸着力を調整するために、磁石受け４１が吸着面積を可変すべく上下方向に移動調節可能に設けられている。
【００３４】
このロール網戸１Ａを窓枠７に固定するために、窓枠７の両側部に引っ掛け部である引っ掛け部材９、９が設けられると共に、各引っ掛け部材９，９に引っ掛けられる被引っ掛け部５０，５０が上記ロール網戸１Ａの両側部に設けられ、各引っ掛け部材９，９に被引っ掛け部５０，５０を引っ掛けることにより窓枠７にロール網戸１が取付けられている。ロール網戸１を取付ける場合には、窓枠７の一側部に引っ掛け部材９をネジ１０で取付けておき、窓枠７の他側部に引っ掛け部材９をネジ１２で仮止めしておく。この状態でロール網戸（網戸本体）１を窓枠７に対して真っ直ぐ挿入し、ロール網戸１を左方から右方へ移動させることにより左側の引っ掛け部材９に左側の被引っ掛け部５０を引っ掛ける。次に、仮止めした右側の引っ掛け部材９に右側の被引っ掛け部５０を引っ掛け、該引っ掛け部５０をネジ１２で締め付けて固定すればよい。これにより、窓枠７にロール網戸１Ａを確実且つ容易に取付けることができ、ロール網戸１Ａの取付け時間を短縮できる。なお、図１３の実施の形態では、ロール網戸１Ａの両側部を引っ掛けにより窓枠７に取付けるように構成されているが、ロール網戸１Ａの一側部のみを引っ掛け、ロール網戸１Ａの他側部は他の固定手段例えば両面粘着テープ等により固定しても良い。
【００３５】
以上、本発明の実施の形態ないし実施例を図面により詳述してきたが、本発明は上記実施の形態ないし実施例に限定されるものではなく、本発明の要旨を逸脱しない範囲での種々の設計変更等が可能である。例えば、ロール網戸が取付けられる窓ないし窓サッシとしては、横すべり出し窓等であってもよい。また、ロール網戸は窓枠にではなく、開口である窓額縁に取付けてもよい。この場合、窓額縁の一側部に引っ掛け部を設けると共に、該引っ掛け部に引っ掛けられる被引っ掛け部を上記ロール網戸の一側部に設け、上記引っ掛け部に被引っ掛け部を引っ掛けて窓額縁にロール網戸を取付ければよい。両引きタイプのロール網戸においても同様に窓額縁に取付けることができる。上記実施例では横引きタイプのロール網戸が示されているが、ロール網戸としては縦引きタイプであっても良い。
【図面の簡単な説明】
【００３６】
【図１】本発明の実施の形態であるロール網戸の概略的構成を示す室内側正面図である。
【図２】縦すべり出し窓サッシに取付けたロール網戸の縦断面図である。
【図３】同ロール網戸の横断面図である。
【図４】収納枠の端部キャップの取付構造を説明する図で、（ａ）は上下の端部キャップの斜視図、（ｂ）は分解斜視図、（ｃ）は上ガイド枠を接合する際の斜視図、（ｄ）は上ガイド枠の固定する際の斜視図である。
【図５】下ガイド枠と端部キャップの接合状態を示す斜視図である。
【図６】可動框の下部の構造を示す図である。
【図７】同可動框の斜視図である。
【図８】可動框の端部キャップの取付構造を説明する図で、（ａ）は端部キャップの斜視図、（ｂ）は分解斜視図、（ｃ）は網体を取付ける際の斜視図、（ｄ）は端部キャップの内側端面図である。
【図９】網戸を閉状態に保持する構造を説明する図で、（ａ）は磁石受け側の斜視図、（ｂ）は磁石側の斜視図である。
【図１０】下ガイド枠の一例を示す横面図である。
【図１１】ロール網戸の取付方法を説明するための斜視図である。
【図１２】図３のＡ部拡大断面図である。
【図１３】両引きタイプのロール網戸の取付構造を説明するための横断面図である。
【符号の説明】
【００３７】
１、１Ａ  ロール網戸
２  網体
３  巻取軸
４ａ  収納枠
４ｂ，４ｃ  ガイド枠
４ｄ  戸当り枠
５  可動框
７  窓枠
９  引っ掛け部材（引っ掛け部）
５０  被引っ掛け部
【図１】
0004823608.tif 000002
【図２】
0004823608.tif 000003
【図３】
0004823608.tif 000004
【図４】
0004823608.tif 000005
【図５】
0004823608.tif 000006
【図６】
0004823608.tif 000007
【図７】
0004823608.tif 000008
【図８】
0004823608.tif 000009
【図９】
0004823608.tif 000010
【図１０】
0004823608.tif 000011
【図１１】
0004823608.tif 000012
【図１２】
0004823608.tif 000013
【図１３】
0004823608.tif 000014